(57)【要約】【課題】ＲＦＩＤのアンテナを大型化する。【解決手段】薬液取り出し口１０４の一番下で、一番太い部分に、複数回の巻き数のアンテナ２０２を設ける。フレキシブル基板２０６上に、マイクロチップ２０１とアンテナ２０２を作成し、基板の両端Ａ、Ｂを巻き込み、電気的に接続してコイル状のアンテナを作成する。【選択図】図２
2012157592.tif 000002
【特許請求の範囲】
【請求項１】
液体を保持し、前記液体の取り出し口を備えた液袋において、前記取り出し口の周囲にＲＦＩＤのアンテナを配置したことを特徴とする液袋。
【請求項２】
前記取り出し口の最下部で、口径が最大の周囲に、前記アンテナを配置したことを特徴とする請求項１記載の液袋。
【請求項３】
前記取り出し口の内部に、前記液体の流量を測定する液滴筒を設けたことを特徴とする請求項１または２記載の液袋。
【請求項４】
電池を搭載したことを特徴とする請求項１、２または３記載の液袋。
【請求項５】
前記電池の容量は、液体の使用量に応じた容量であることを特徴とする請求項４記載の液袋。
【請求項６】
請求項１乃至５のいずれか１項に記載の液袋と結合され、前記液体を前記取り出し口を介して所定の管へ送り出す送液装置において、前記結合により前記液袋から電源が供給され、前記液袋のＲＦＩＤと情報の送受信を行うことを特徴とする送液装置。
【請求項７】
請求項１乃至５のいずれか１項に記載の液袋と、請求項６記載の送液装置に識別番号を付与して液袋を管理する液袋管理装置において、第１の液袋と送液装置とを結合したときに、前記送液装置に付与されている第１の識別番号を、前記第１の液袋のＲＦＩＤに登録する第１の登録手段と、前記第１の液袋を第２の液袋に交換したとき、前記第２の液袋のＲＦＩＤに、前記送液装置に付与されている前記第１の識別番号を登録する第２の登録手段と、前記第２の液袋と前記送液装置とを結合したとき、前記第２の液袋の識別番号と前記送液装置の識別番号が一致するか否かを判定する判定手段と、前記判定の結果、前記識別番号が一致する場合、前記第２の液袋の取り出し口を介して前記第２の液袋内の液体を所定の管へ送り出し、前記識別番号が一致しない場合、前記第２の液袋の取り出し口を閉じる開閉手段を備えたことを特徴とする液袋管理装置。
【請求項８】
前記登録時に、前記第１、第２の液袋のＲＦＩＤに、前記液体の流量、液体の送出開始、終了時刻を含む情報が登録されることを特徴とする請求項７記載の液袋管理装置。
【請求項９】
前記第１、第２の登録手段は医療の管理部門で実施され、前記判定手段と開閉手段は医療現場で実施されることを特徴とする請求項７または８記載の液袋管理装置。
【請求項１０】
請求項１乃至５のいずれか１項に記載の液袋と、請求項６記載の送液装置に識別番号を付与して液袋を管理する液袋管理方法において、第１の液袋と送液装置とを結合したときに、前記送液装置に付与されている第１の識別番号を、前記第１の液袋のＲＦＩＤに登録する第１の登録工程と、前記第１の液袋を第２の液袋に交換したとき、前記第２の液袋のＲＦＩＤに、前記送液装置に付与されている前記第１の識別番号を登録する第２の登録工程と、前記第２の液袋と前記送液装置とを結合したとき、前記第２の液袋の識別番号と前記送液装置の識別番号が一致するか否かを判定する判定工程と、前記判定の結果、前記識別番号が一致する場合、前記第２の液袋の取り出し口を介して前記第２の液袋内の液体を所定の管へ送り出し、前記識別番号が一致しない場合、前記第２の液袋の取り出し口を閉じる開閉工程を備えたことを特徴とする液袋管理方法。
【発明の詳細な説明】
【技術分野】
【０００１】
本発明は、ＲＦＩＤを搭載した液袋、送液装置、液袋管理装置および方法に関する。
【背景技術】
【０００２】
図８は、従来の輸液セットを示し、図８（ａ）は、輸液ポンプを用いない輸液セット、（ｂ）は輸液ポンプを用いた輸液セットを示す。輸液ポンプを用いない輸液セット（ａ）は、輸液バッグ６０１の下にある薬液取り出し口６０３、点滴筒６０５、樹脂管６０７を経て、輸液針６０８へ薬液６０２を送り出す。一般に、点滴セットでは、樹脂管の先には、輸液バッグ６０１の薬液取り出し口６０３の下側のゴム板６０６を突き破るための突起６０４が付いている。また、輸液ポンプを用いた輸液セット（ｂ）では、輸液バッグ６０１と輸液ポンプ６１２が支柱６１１に固定され、輸液ポンプ６１２は、輸液の移送や注入速度の調整を自動で行う。
【０００３】
ところで、上記した輸液バッグの薬液種が多種類であることから、輸液バッグを識別するためにＲＦＩＤが用いられている（例えば、特許文献１、２を参照）。図８（ｃ）は、ＲＦＩＤタグ、ＩＣタグなどと呼ばれるマイクロチップを示す。ＲＦＩＤは、マイクロチップ７０１と、タグサイズに印刷されたアンテナパターン７０２により構成され、電磁誘導により、アンテナパターンを通り抜ける磁場の変化を受信し、その受信した電力によって送信し、システム側との間で交信する。マイクロチップ７０１の情報をシステム側が読み出し、逆にマイクロチップ７０１が、システム側から得た情報を記憶する。
【発明の概要】
【発明が解決しようとする課題】
【０００４】
しかし、上記した特許文献１、２のＲＦＩＤでは、マイクロチップ側のアンテナを大型化できない（アンテナの巻き数も多く取れない）ので、電磁誘導で結合できるように輸液ポンプなどの輸液装置を適切に配置しなければ、電磁誘導による結合が弱くなり、場合によっては輸液装置との交信が不能になり、医療事故の発生を招きかねない。
【０００５】
本発明は上記した課題に鑑みてなされたもので、
本発明の目的は、ＲＦＩＤのアンテナを大型化した液袋、送液装置、液袋管理装置および方法を提供することにある。
【課題を解決するための手段】
【０００６】
本発明は、液体を保持し、前記液体の取り出し口を備えた液袋において、前記取り出し口の周囲にＲＦＩＤのアンテナを配置したことを最も主要な特徴とする。
【発明の効果】
【０００７】
本発明によれば、薬液バッグの薬液取り出し口にＲＦＩＤを配置し、薬液取り出し口の周囲を囲むようにアンテナを設けているので、アンテナを大型化することができるとともに、アンテナの巻き数を多く取ることができ、輸液装置との電磁誘導による結合を強く（利得が大きい）することができる。
【図面の簡単な説明】
【０００８】
【図１】本発明の実施例１の構成を示す。
【図２】本発明の薬液取り出し口の構成を示す。
【図３】輸液バッグに、ＲＦＩＤ付き薬液取り出し口を実装した図を示す。
【図４】実施例２の薬液取り出し口を示す。
【図５】本発明の実施例２の登録装置を示す。
【図６】実施例２の輸液バッグの管理方法を説明する図である。
【図７】実施例３の輸液セットを示す。
【図８】従来の輸液セットを示す。
【発明を実施するための形態】
【０００９】
以下、発明の実施の形態について図面により詳細に説明する。
【実施例１】
【００１０】
図１（ａ）は、本発明の実施例１の構成を示す。図１（ａ）において、１０１は輸液バッグ（液袋）、１０２は輸液バッグに封入されている薬液などの液体、１０３は吊り下げ用の穴、１０４は薬液取り出し口、１０５は輸液ポンプなどの輸液装置（送液装置）、１０６は樹脂管、１０７はクランパ、１０８は接続子、１０９は針である。
【００１１】
図１（ｂ）は、薬液取り出し口と輸液バッグを示す。図１（ｂ）において、１１０は輸液バッグの薬液を封止する表の樹脂シート、１１１は裏の樹脂シート、１１２〜１１５は輸液装置を取り付けるための穴、１１６は輸液装置１０５を取り付けるための穴１１２〜１１５と対応している輸液装置１０５の突起である。
【００１２】
輸液バッグ１０１の下部に、輸液装置１０５の薬液取り出し口１０４を装着し、輸液装置１０５の突起１１６を樹脂シート１１０、１１１の穴１１２〜１１５に取り付けることにより、図１（ａ）に示すように、輸液バッグ１０１と輸液装置１０５とを一体にする。
【００１３】
図２（ａ）は、本発明の薬液取り出し口の構成を示す。図２（ａ）において、２０３は輸液バッグの薬液中に露出し、薬液が入り込む入り口、２０４は輸液バッグの樹脂シートに挟まれ接着される薬液取り出し口の部分、２０５は薬液取り出し口の底面に設けられたゴム板（図８に示す突起６０４をゴム板に刺すことにより、薬液が樹脂管に入り、樹脂管のバルブを通して薬液が流れる）である。
【００１４】
２０１はＲＦＩＤのマイクロチップ、２０２はそのアンテナである。本発明では、薬液取り出し口１０４の一番下で、一番太い部分に、複数回の巻き数のアンテナを設けている。
【００１５】
図２（ｂ）、（ｃ）は、本発明のマイクロチップとアンテナの実装方法を示す。薄膜樹脂上に作成された電極パターンは、印刷またはフレキシブル基板上の銅箔のエッチングによって作成され、その一部２０７を露出させる（図２（ｂ））。そして、フレキシブル基板２０６の両端Ａ、Ｂを巻き込み、図２（ｃ）に示すように電気的に接続してコイル状のアンテナを作成する。この際、一巻きのループアンテナであれば、フレキシブル基板２０６の片面だけで作成可能であるが、通常、複数回の巻数が必要であるため、両面基板または絶縁膜を施した２層パターンを使用する。なお、薬液取り出し口に巻き付けたときに、外部に電極が露出しないようにするために表面を絶縁処理する。
【００１６】
図３（ａ）は、輸液バッグ１０１に、図２（ａ）に示すＲＦＩＤ付き薬液取り出し口を実装した図である。マイクロチップ２０１を搭載した薬液取り出し口１０４を、輸液バッグ１０１の下部に取り付け、マイクロチップ２０１と交信する機能を持つ輸液装置１０５を、取り付け穴１１２、１１３に固定する。この穴１１２、１１３は、輸液装置１０５の図示しない輸液バッグの樹脂シートの下端を挟み込むように位置を合わせて固定するものである。
【００１７】
図３（ｂ）は、輸液装置と輸液バッグの固定のための穴１１２〜１１５（１１２）と輸液装置の後ろ側１０５ａにある突起１１６と輸液装置のカバー１０５ｂの機械的な接続関係を示す。樹脂シート１１０と１１１は、接着剤１１７で張り合わされていて、輸液装置側の突起１１６が穴１１２を通してカバー側１０５ｂとの間に固定される。
【００１８】
輸液バッグの薬液取り出し口は円筒形で、その最大径は概ね２５ｍｍ前後である。上記したように、本実施例では、この円筒形を利用し、円筒の周囲を取り巻くようにアンテナを作成する。実際に作成するときは、数回程度のパターンの巻き回数が必要であるが、例えば平面に構成したパターンの両端を接続することにより、薬液取り出し口の周囲を数回巻いたコイル状のアンテナを作成する。本実施例では、薬液取り出し口の一番下側の一番直径の大きい箇所にアンテナを作成する。これにより、アンテナを大型化することができるとともに、巻き回数も多くすることができる。従って、薬液の取り出し口方向の磁場の変化によって効率よく電磁誘導による結合ができ、薬液取り出し口を取り囲む輸液装置側のコイルが、薬液取り出し口の周囲に巻いたコイルと電磁的に結合し、交信することができる。
【実施例２】
【００１９】
実施例２は、実施例１のＲＦＩＤ付き輸液バッグを管理する実施例である。
【００２０】
図４（ａ）は、実施例２の薬液取り出し口を示す。実施例２では、通常、輸液セット側に設けられている点滴筒（液滴筒）を輸液バッグの薬液取り出し口３０１の中に設け、薬液に最適な流量を測定できる点滴筒を備えている。すなわち、実施例２の薬液取り出し口３０１は、薬液の吸い込み口３０２と、透明で点滴数を外からみることができる側面をもつ点滴筒部分３０３と、薬液取り出し口の底面に設けられたゴム板３０４により構成される。３０５は、実施例１で説明したＲＦＩＤとそのアンテナである。輸液の関連情報（識別番号など）がＲＦＩＤ３０５に蓄えられる。
【００２１】
図４（ｂ）は、輸液バッグに輸液装置を取り付けたときの下側からみた図である。３０６は、輸液装置１０５の外側から、薬液取り出し口３０１と点滴筒を兼ねた点滴筒部分３０３を観察できるようにした窓である。図４（ｃ）は、輸液装置の内部を示し、３０８は、薬液取り出し口３０１にある点滴筒の点滴数を検出するための光センサーである。３０９はシャッターであり、ＲＦＩＤ３０５の識別情報と輸液装置１０５の識別情報が一致しない場合にシャッター３０９が閉じ、輸液バッグ１０１から樹脂管に薬液を送り出さない構造を採っている。
【００２２】
また、輸液装置１０５には、図４（ａ）のＲＦＩＤ３０５のアンテナに対向して設けられたアンテナと、ＲＦＩＤ３０５との読み出し、書き込みを行うＲ／Ｗ装置が設けられている。
【００２３】
図５は、本発明の実施例２の登録装置を示す。実施例２の登録装置は、ナースステーションなどにおいて、医師が登録したセンターＰＣからの情報に基づいて、輸液バッグや輸液装置を登録する。
【００２４】
図５（ａ）において、図示しないセンターＰＣに接続されている登録装置４０１は、操作パネル４０５、表示部４０４からなり、輸液バッグ１０１を登録するための設定部４０３、最初の輸液バッグ１０１を輸液装置１０５と共に登録する際に、輸液装置１０５を接続する設定部４０２からなっている。
【００２５】
最初の輸液バッグ１０１は、図５（ｂ）に示すように、輸液バッグ１０１を輸液装置１０５と接続してから、輸液装置１０５を介して輸液バッグ１０１を登録装置４０１に登録する。すなわち、最初の輸液バッグ１０１と輸液装置１０５との対応をとり、病室の患者で、最初だけ患者の本人確認を行い、２本目以降の輸液バッグを設定するときは、輸液装置１０５の識別番号と輸液バッグ１０１の識別番号が一致しているか否か検査することにより、患者の本人確認を行う。
【００２６】
登録装置４０１では、輸液装置１０５の識別番号をセンターＰＣへ登録し、すなわち、処方あるいは患者と輸液装置との対応関係を登録する。そして、輸液装置１０５の識別番号を、対応する患者の輸液バッグ１０１のＲＦＩＤに登録する。識別番号を、複数の輸液バッグを使用する場合の患者の本人確認として用いる。なお、輸液バッグを輸液装置に接続する前に、後述するように短絡防止シートを剥がして、輸液バッグと輸液装置を相互に接続し、固定する。
【００２７】
２本目以降の輸液バッグ１０１は、図５（ｃ）に示すように、輸液バッグ専用の設定部４０３に、薬液取り出し口３０１を差し込み、登録装置４０１から直接、輸液装置１０５の識別番号を登録する。輸液を行う現場では、２本目以降の輸液バッグに交換する際に、この識別番号が輸液装置１０５の識別番号と一致しているか否かを確認し、一致していれば、その処方のための患者本人であることが確認され、識別番号が相違していれば、間違った患者であることが確認され、投薬ミスなどが回避される。
【００２８】
輸液バッグには、後述するように電池が搭載され、薬液ごとに最適化した点滴筒が搭載されていて、さらに登録装置から、センターＰＣに登録された処方情報、即ち薬液の設定すべき流量（単位時間当たりの流量）、実施時刻（あるいは終了までの時間）などの情報が輸液バッグのＲＦＩＤに送信され登録されていて、問題がなければ、直ちに輸液を開始することができる。
【００２９】
図６は、実施例２の輸液バッグの管理方法を説明する図である。（ａ）は管理テーブルを示し、上欄の時系列において、（イ）は病院のセンターＰＣにおける情報の入出力、即ち、処方・看護情報であり、（ロ）は輸液バッグの移動、（ハ）は輸液バッグにおける情報の入出力、（ニ）は輸液装置の移動、（ホ）は輸液装置における情報の入出力、（ヘ）は病室や患者における事象である。
【００３０】
また、左欄の時系列において、（１）は医者の処方、（２）は最初の輸液バッグの処理、（３）は２本目以降の輸液バッグの処理、（４）は終了後の処理である。上記したテーブルで整理することにより、輸液バッグの移動に伴い、その情報も移動することが分かる。
【００３１】
輸液バッグの登録を最初に行う（（ロ）−（２））。これは、従来、センターＰＣで実施する識別番号の各確認事項への割り当て、輸液の設定（用具の設定や穿刺など）のほかに、輸液バッグの交換に伴い、その都度、患者、輸液バッグ、流量の確認などを現場（病室）で実施しなければならない。
【００３２】
これに対して、本発明のように、輸液バッグを中心に識別情報を照合すれば作業を集約できる。すなわち、輸液バッグを中心に作業すれば、輸液バッグの移動に注意をするだけで、ミスの発生しにくいシステムを構築できる。また、センターＰＣからの情報で処理を開始する一連の作業であるため（どの薬液の輸液バッグを保管庫から取り出し、登録装置で登録するかの指示もする）医療現場でないナースステーションで管理することができる。また、識別番号が一致せず、患者を間違っていれば、輸液装置は輸液バッグを受け付けない。すなわち、警告を出し、図４（ｃ）のシャッター３０９を閉じてしまうため、突起６０４（図８（ａ））を刺すことができない。さらに、最初の輸液バッグのときには、慎重に本人を確認する必要があるが、これはどのような手段を用いても必ず一回はやらなければならない工程であり、さらに慎重にするならば、患者に予め割り当てられた識別番号を登録したリストバンドなどで確認してもよい。
【００３３】
図６（ｂ）は、ナースステーションと病室との間で実施される輸液バッグの管理方法を説明する図である。図の上は、ナースステーションの作業を表し、下は病室であり、左から時間が進むものとして示す。医師の処方を登録するセンターＰＣは図示していない。
【００３４】
まず、登録済みの処方に基づいて、登録装置４０１が輸液の指示を看護師に出す。それに基づいて、看護師は、保管庫から最初の輸液バッグ１０１−１と輸液装置１０５を取り出し（（イ）−（２））、輸液バッグを輸液装置に装着（１０１−１）した後、登録装置４０１は輸液装置１０５の識別番号と、センターＰＣにある登録済みの処方とを対応付ける（（ロ）〜（ホ）−（２））。すなわち、患者の輸液バッグ１０１−１と輸液装置１０５の識別番号がセンターＰＣに登録され、また、同時に輸液バッグに対しても、輸液装置の識別番号が登録される。輸液バッグの登録は、薬液が処方に一致しているか確認する。さらに、輸液装置の動作条件（単位時間当たりの流量、開始時刻、終了までの時間など）も輸液バッグに登録され、最初の輸液バッグを組み合わせた輸液バッグ１０１−１を病室へ運び、点滴を開始する（（ホ）−（２））。
【００３５】
輸液装置は、終了するかまたは終了間近になると警報を出し（（ヘ）−（２））、看護師に知らせる。このとき、次の輸液バッグ（２本目以降の輸液バッグ）１０１−２を輸液バッグ単独で、ナースステーションにおいて、登録装置４０１の設定部４０３に設定し（図５（ｃ））、最初の輸液バッグを登録したときに一緒に登録した輸液装置１０５の識別番号を、センターＰＣより輸液バッグ１０１−２に登録する（（イ）〜（ハ）−（３））。
【００３６】
登録された２本目の輸液バッグ１０１−２を病室へ持って行き、使い終わった最初の輸液バッグ１０１−１を最初の輸液に使用していた輸液装置１０５から外して、輸液バッグ１０１−２に交換する。輸液装置１０５は、輸液バッグ１０１−２を装着すると同時に、輸液バッグ１０１−２のＲＦＩＤから読み出した識別番号と輸液装置１０５の識別番号とを照合し、一致すれば患者が使用していた輸液セットを接続することができ、直ちに輸液を開始する（ナースステーションで設定・確認した流量で動作を開始する。ナースステーションにある登録装置によって、投与情報を登録しているため、ここでの作業ミスは発生しない）（（ホ）、（ヘ）−（３））。一致しなければ、前述したように、輸液装置１０５のシャッターが閉じて輸液が行われない。
【００３７】
さらに、回収した最初の輸液バッグは、輸液バッグ１０１−１のように、輸液バッグ単独で登録装置４０１によって、終了を記録する（（イ）、（ロ）−（２））。また、輸液バッグによる輸液や流量変化などの計測情報などをセンターＰＣへ登録し、また、必要に応じてプライバシー情報などがある場合は、輸液バッグのＲＦＩＤ３０５に登録されている記憶内容を消去する。これによりセンターＰＣでは、輸液バッグの履歴を確認し、薬剤を管理運営する。
【００３８】
上記したように交換した２本目の輸液バッグ１０１−２は、輸液装置の識別番号と一致するか否かを確認し、一致すれば、患者に間違いがないものとして、輸液を開始できるようになる。２本目以降の輸液バッグも同様に処理し、最後のＮ本目の輸液が終了すると、輸液バッグと輸液装置を一緒に回収し（１０１−Ｎ）、登録装置４０１により、輸液バッグと輸液装置１０１−Ｎの最終登録を行い、一連の処理が終了する（（ロ）〜（ニ）、（ヘ）−（４））。最終登録は、使用済みの輸液バッグのみならず、輸液装置にある処理データの内、必要なデータをセンターＰＣに登録した後、消去する。
【００３９】
上記した例では、連続的に輸液バッグを交換する場合を示したが、時間を置いて、例えば、翌日になってから、再開するような場合でも、輸液バッグを回収することなく使い続けるのであれば、本人確認は不要である。また、輸液バッグの途中で輸液装置を交換する場合も、基本的には、輸液装置だけを終了登録し、別の輸液装置を初期登録するという手順で、輸液装置のみの登録を実施すればよい。さらに、薬液の投与時刻の管理も可能であり、予め複数の輸液バッグをまとめて登録しておき、投与時刻前に輸液を開始しようとした場合には警告を出し、輸液を開始しないように制御し、所定の時刻が来たときに自動的に開始させる。さらに、一つの輸液バッグにおいても、所定の時間間隔で投与するような間欠投与の情報を、輸液バッグのＲＦＩＤに登録しておけば、他の投与と区別することなく投与できる。
【００４０】
なお、上記した実施例では、登録装置を一つの装置として示したが、本発明はこれに限定されず、例えば、自動化した保管庫を有する病院において、輸液バッグを取り出す際に自動的に登録することも可能である。
【００４１】
上記したように、本実施例によれば、輸液装置に輸液バッグを装着した時点で、患者の本人確認ができる。また、輸液のための諸条件を輸液装置に設定することができ、作業の手間が省け、看護師本来の作業である、輸液バッグの交換や穿刺などに集中することができる。
【実施例３】
【００４２】
実施例３は、輸液装置に電力を供給するための電池を搭載した輸液バッグの実施例である。二次電池を用いた充電式の電源を有する輸液装置が一般的であるが、電池の寿命を十分な精度で知ることは難しく、途中で電池切れが発生すると人命に関わる重大な事故となる。また、輸液バッグの交換の度に電池容量の確認が必要となり煩雑である。
【００４３】
そこで、輸液バッグ一回分の薬液量を送出するための電池を薬液とともに交換すれば、電池切れの問題が解消するが、その反面、一回毎に輸液装置の電池を輸液バッグとともに交換しなければならない。
【００４４】
本実施例では、輸液バッグの着脱や交換により薬液の投与が実施される輸液セットにおいて、輸液バッグの薬液の量に合わせた電池を輸液バッグ側に内蔵させ、これを輸液装置へ供給しかつ薬液バッグの交換とともに電池の交換もできるようにする。
【００４５】
図７（ａ）は、実施例３の輸液セットを示す。実施例３では、実施例１、２で説明した輸液バッグに、ボタン型電池５０１が搭載されている。図７（ｂ）は、輸液バッグの薬液取り出し口を拡大した図である。
【００４６】
本実施例では、輸液バッグの薬液を使い切るのに適切な容量の電池を輸液バッグに内蔵し、輸液バッグを交換すると同時に、輸液装置に接続されるように構成する。
【００４７】
表側の樹脂シート１１０の下面側には、電池５０１ａ、５０１ｂの電極５０２ａ、５０２ｂが配置され、また同じく裏側の樹脂シートの上面側には、電極５０３ａ、５０３ｂが配置され、さらにそれらを接続する配線があり、必要に応じて表裏の樹脂シート上の電極間に絶縁膜５０４を施す。
【００４８】
さらに、輸液装置１０５（輸液装置の裏側を示す）を輸液バッグに固定するための２個の突起１１６が設けられ、この突起１１６を通すサイズの穴１１２〜１１５が樹脂シートに設けられ、穴１１２、１１３には、輸液装置１０５への接続電極５０５ａ、５０５ｂが配置され、これにより、輸液装置１０５の突起１１６と接続電極５０５ａ、５０５ｂが接続され、電池５０１から輸液装置１０５に電力が供給される。なお、図７（ｂ）に示す配置では、２つの電池が直列に接続されているが、並列接続でもよく、基本的に輸液バッグに電池を配置し、電極を輸液バッグの内壁側に設ければよい。図７（ｂ）のように直列接続の場合、電池間の接続は、裏側シートの穴１１４や１１５を避けるように、配線パターン５０６を設けている。
【００４９】
図７（ｃ）は、輸液バッグの穴と輸液装置の突起とを結合したときの断面であり、輸液装置と輸液バッグの固定のための穴１１２〜１１５（１１２）と、輸液装置の後ろ側１０５ａにある突起１１６との電気的、機械的な接続関係を示す。実施例１と同様に、樹脂シート１１０と１１１は、輸液装置側の突起１１６が穴１１２を通してカバー側１０５ｂとの間に固定されるが、このとき、突起１１６が設けられた輸液装置側の電極５０７と、輸液バッグ側の電極５０８が電気的に接続される。
【００５０】
図７（ｄ）は、使用前の輸液バッグの接続部の断面を示し、図７（ｃ）における露出した電極５０８の短絡防止のために、保護シート５０９を貼り付けた様子を示す。輸液バッグに輸液装置を接続する直前に、保護シート５０９を剥がして輸液装置側の突起１１６を通せるようにする。また、保護シート５０９が電極５０８の短絡防止用だけではなく、薬液取り出し口の下のゴム板３０４（図４（ａ））の汚染防止用シートと一体にすることで、使用直前の作業の手間が省けるようになる。
【００５１】
上記した電池は、輸液バッグの下側に配置することが望ましい。輸液装置も輸液バッグの下側に接続され、図７（ａ）において、薬液取り出し口から電源の電極を引き出す際に近いだけでなく、輸液バッグの下側の重量が重くなるため、輸液バッグの向きを安定させることができる。輸液バッグは、縦長の方が一般に安定し、実際、縦長な輸液バッグが多いが、横長にする方が患者の身に着ける場合には使いやすい。そこで、横長にした輸液バッグで薬液取り出し口付近のバッグの底を低くし、かつ電池の重量を利用した安定性確保は、輸液セットを患者に携帯させる場合に有効である。
【００５２】
上記したように、本実施例によれば、輸液バッグに電池を搭載することにより、輸液バッグと輸液装置を接続すると同時に、輸液装置に電源が供給されるので、電池残量の確認が不要になり、ホームメディカルにおける使い捨て型の輸液バッグに好適である。
【符号の説明】
【００５３】
１０１  輸液バッグ
１０２  薬液
１０３  吊り下げ用の穴
１０４  薬液取り出し口
１０５  輸液装置
１０６  樹脂管
１０７  クランパ
１０８  接続子
１０９  針
２０１  ＲＦＩＤ
２０２  アンテナ
【先行技術文献】
【特許文献】
【００５４】
【特許文献１】特開２００７−４８７号公報
【特許文献２】特開２００６−３４８４５号公報
【図１】
2012157592.tif 000003
【図５】
2012157592.tif 000004
【図６】
2012157592.tif 000005
【図７】
2012157592.tif 000006
【図２】
2012157592.tif 000007
【図３】
2012157592.tif 000008
【図４】
2012157592.tif 000009
【図８】
2012157592.tif 000010